(57)【要約】【課題】光エレメントの引き抜きが容易で光ファイバ網を円滑に構築することが可能な光ケーブルを提供する。【解決手段】光ケーブル１は、光ファイバ心線５の外周に被覆層７が設けられた複数本の光エレメント２が、撚られずに並列されて束ねられている。このため、各光エレメント２を光ケーブル１から引き抜く際に、撚りを解かずに済み、光エレメント２の引き抜きの容易化を図ることができる。【選択図】図１
2009080346.tif 000002
【特許請求の範囲】
【請求項１】
光ファイバ心線の外周に被覆層が設けられた複数本の光エレメントが、撚られずに並列されて束ねられていることを特徴とする光ケーブル。
【請求項２】
請求項１に記載の光ケーブルであって、
複数本の前記光エレメントが、バインド線により束ねられていることを特徴とする光ケーブル。
【請求項３】
請求項２に記載の光ケーブルであって、
前記バインド線の巻き付けピッチが、複数本の前記光エレメントを束ねた直径の１０倍以上であることを特徴とする光ケーブル。
【請求項４】
請求項１に記載の光ケーブルであって、
複数本の前記光エレメントが、ルースチューブ型の外被により覆われて束ねられていることを特徴とする光ケーブル。
【請求項５】
請求項１または２に記載の光ケーブルであって、
複数本の前記光エレメントが、巻き付けの強さまたは巻き付けピッチの異なる複数のバインド線により束ねられていることを特徴とする光ケーブル。
【請求項６】
請求項１から５の何れか一項に記載の光ケーブルであって、
抗張力線が中央に配置され、その周囲に複数本の前記光エレメントが束ねられていることを特徴とする光ケーブル。
【請求項７】
請求項６に記載の光ケーブルであって、
前記抗張力線と複数本の前記光エレメントとの間に、空気を充填した空気層が設けられていることを特徴とする光ケーブル。
【請求項８】
請求項１から７の何れか一項に記載の光ケーブルであって、
複数本の前記光エレメントが、線長差を設けた状態で束ねられていることを特徴とする光ケーブル。
【請求項９】
請求項１から８の何れか一項に記載の光ケーブルであって、
複数本の前記光エレメントが、相互に隙間を有する非最密状態で束ねられていることを特徴とする光ケーブル。
【請求項１０】
請求項１から９の何れか一項に記載の光ケーブルであって、
前記被覆層の少なくとも一部が、高密度ポリエチレン、ポリプロピレン、フッ素系樹脂の何れかからなることを特徴とする光ケーブル。
【請求項１１】
請求項１から１０の何れか一項に記載の光ケーブルであって、
複数本の前記光エレメントの間に、高密度ポリエチレン、ポリプロピレン、フッ素系樹脂の何れかからなる介在物が設けられていることを特徴とする光ケーブル。
【請求項１２】
請求項１１に記載の光ケーブルであって、
前記介在物により、前記光エレメントの配置が区分けされていることを特徴とする光ケーブル。
【請求項１３】
請求項１から１２の何れか一項に記載の光ケーブルであって、
前記光エレメントが二本以上の単位で並列結合されていることを特徴とする光ケーブル。
【請求項１４】
請求項１から１３の何れか一項に記載の光ケーブルであって、
前記光ケーブルが８の字束にして梱包されていることを特徴とする光ケーブル。
【発明の詳細な説明】
【技術分野】
【０００１】
本発明は、光ファイバ網を構築する際に用いて好適な光ケーブルに関する。
【背景技術】
【０００２】
個々のユーザ（戸別住居）まで光ファイバを導く、いわゆるＦＴＴＨ（Fiber To The Home）と呼ばれる光ファイバ網がある。この光ファイバ網を構築する場合、光ファイバをテンションメンバとともに被覆層で覆って光エレメントを形成し、この光エレメントを複数本束ねた光ケーブルを幹線布設して、この幹線から光エレメントを個々のユーザまで分配布設することになる。この光ケーブルは、ドラムに巻かれた状態で運搬等の取り扱いがなされるため、ドラムへの巻回時の内外周の径差を吸収するために、各光エレメントが撚られた状態で束ねられている（例えば、特許文献１参照）。
【０００３】
【特許文献１】特開２００１−２１５３７５号公報
【発明の開示】
【発明が解決しようとする課題】
【０００４】
上記のように複数本の光エレメントを撚って光ケーブルを構成すると、光エレメントを幹線からの分岐点から引き抜こうとしても摩擦抵抗が撚りの回数に対して指数関数的に大きくなることから引き抜きは困難である。そのため、各光エレメントを光ケーブルから各ユーザに向けて引き抜く際に撚りを解く必要がある。例えば、幹線からユーザまでの光エレメントの引き抜き長さが１０ｍ必要である場合、撚りのピッチを６００ｍｍとすると、１７回ほど撚りを解かなければならない。
光エレメントの端末に近い位置であれば、撚りを解く作業はそれほど困難ではないが、端末から遠くなると、例えば上記具体例の場合１０ｍの光エレメントを幹線に対して１７回ほど回転させなければならず、撚りを解く作業が非常に大変な作業となる。
【０００５】
そこで、本発明の目的は、光エレメントの引き抜きが容易で光ファイバ網の構築を円滑に行うことが可能な光ケーブルを提供することにある。
【課題を解決するための手段】
【０００６】
上記課題を解決することのできる本発明の光ケーブルは、光ファイバ心線の外周に被覆層が設けられた複数本の光エレメントが、撚られずに並列されて束ねられていることを特徴とする。
【０００７】
本発明に係る光ケーブルにおいて、複数本の前記光エレメントが、バインド線により束ねられていることが好ましい。
【０００８】
また、本発明に係る光ケーブルにおいて、前記バインド線の巻き付けピッチが、複数本の前記光エレメントを束ねた直径の１０倍以上であることが好ましい。
【０００９】
また、本発明に係る光ケーブルにおいて、複数本の前記光エレメントが、ルースチューブ型の外被により覆われて束ねられていることが好ましい。
【００１０】
また、本発明に係る光ケーブルにおいて、複数本の前記光エレメントが、巻き付けの強さまたは巻き付けピッチの異なる複数のバインド線により束ねられていることが好ましい。
【００１１】
また、本発明に係る光ケーブルにおいて、抗張力線が中央に配置され、その周囲に複数本の前記光エレメントが束ねられていることが好ましい。
【００１２】
また、本発明に係る光ケーブルにおいて、前記抗張力線と複数本の前記光エレメントとの間に、空気を充填した空気層が設けられていることが好ましい。
【００１３】
また、本発明に係る光ケーブルにおいて、複数本の前記光エレメントが、線長差を設けた状態で束ねられていることが好ましい。
【００１４】
また、本発明に係る光ケーブルにおいて、複数本の前記光エレメントが、相互に隙間を有する非最密状態で束ねられていることが好ましい。
【００１５】
また、本発明に係る光ケーブルにおいて、前記被覆層の少なくとも一部が、高密度ポリエチレン、ポリプロピレン、フッ素系樹脂の何れかからなることが好ましい。
【００１６】
また、本発明に係る光ケーブルにおいて、複数本の前記光エレメントの間に、高密度ポリエチレン、ポリプロピレン、フッ素系樹脂の何れかからなる介在物が設けられていることが好ましい。
【００１７】
また、本発明に係る光ケーブルにおいて、前記介在物により、前記光エレメントの配置が区分けされていることが好ましい。
【００１８】
また、本発明に係る光ケーブルにおいて、前記光エレメントが二本以上の単位で並列結合されていることが好ましい。
【００１９】
また、本発明に係る光ケーブルは、８の字束にして梱包されていることが好ましい。
【発明の効果】
【００２０】
本発明の光ケーブルは、複数本の光エレメントが、撚られずに並列されて束ねられているため、各光エレメントを引き抜く際に、撚りを解かずに済む。よって、各光エレメントの引き抜きが容易になり、光ファイバ網の構築を円滑に行うことができる。
【発明を実施するための最良の形態】
【００２１】
以下、本発明の一実施形態について図１〜図８を参照して説明する。
図１は光ケーブルの斜視図、図２は光エレメントの断面図、図３及び図４は光エレメントの別例の断面図、図５はバインド線の巻き付けピッチを説明する斜視図、図６は光ケーブル及び収容箱の斜視図、図７は光ケーブルの布設を説明する正面図、図８は光エレメント引き抜き時の加振方向を説明する斜視図、図９は光エレメントの別例の断面図である。
【００２２】
図１に示すように、光ケーブル１は、ＦＴＴＨ等の用途に用いられるドロップケーブルやインドアケーブル、光コードなどの光エレメントを集合したケーブルである。各ユーザ（戸別住居）まで布設される長尺状の複数本の光エレメント２が、撚られずにストレートの状態で並列され、バインド線３で一束に束ねられて構成されている。
【００２３】
図２に示すように、光エレメント２は、コア及びクラッドからなるガラスファイバに紫外線硬化型樹脂等の被覆が設けられた光ファイバ心線５を間に挟んで一対のテンションメンバ６が並設され、これらの外周に被覆層７が設けられて構成されている。
【００２４】
この被覆層７は、断面が一対のテンションメンバ６の配設方向に長い略長方形状をなしている。また、被覆層７には、四角にＲ面取り８が形成されており、光ファイバ心線５を間に挟んで断面Ｖ字状の一対の凹部９が形成されている。一対の凹部９は光ファイバ心線５を口出しする際に被覆層７の切断容易性を高めるためのものである。なお、図３に示すように、短辺側の両Ｒ面取り８を連続する一つの円弧とし、この円弧の端部で凹部９の片側を形成する形状としても良い。また、図４に示すように、被覆層７に凹部を形成しない形状としても良い。
【００２５】
従来のインドアケーブルの被覆層は例えば低密度ポリエチレン（ＬＤＰＥ）あるいは直鎖状低密度ポリエチレン（Ｌ−ＬＤＰＥ）から形成されていたが、本発明では、被覆層７が高密度ポリエチレン（ＨＤＰＥ）、ポリプロピレン（ＰＰ）、フッ素系樹脂などの低摩擦樹脂から形成されている。あるいは被覆層７は滑材入りの合成樹脂から形成されている。
【００２６】
バインド線３は、曲げたときの形状を保持しやすい鉄線などの比較的柔らかい金属線を樹脂で被覆してなるもので、複数本の光エレメント２の外側に所定の巻き付けピッチで巻き付けられている。図５に示すように、このバインド線３の巻き付けピッチＬは、複数本の光エレメント２を束ねた集合体コア４の直径の１０倍以上に設定されている。
【００２７】
そして、上記の光ケーブル１は、図６に示すように、使用前は収容箱１１内に収容するとよい。光ケーブル１は、８の字束にして集積されることで、光エレメント２間の線長差がなくなるため、光ケーブル１を収納箱１１から繰り出す前後において光エレメント２のばらけが防止できる。
【００２８】
この光ケーブル１を例えばマンション等の既設の集合住宅Ｓに布設する場合、収容箱１１内で８の字束にして集積された状態の光ケーブル１を、引き出し穴１２から繰り出して、図７に示すように、光ケーブル１を上下方向に直線状に幹線布設し、この光ケーブル１から任意の光エレメント２を引き抜いて分配布設する。
【００２９】
例えば、各階に２戸の住居１４があり、これら住戸１４に対して共通のメータボックス１５が設けられている場合、光ケーブル１から任意の二本の光エレメント２を引き抜いて同じメータボックス１５まで布設し、このメータボックス１５から各住戸１４に一本ずつ光エレメント２を分配布設する。
【００３０】
なお、このとき、光ケーブル１を図８に示すように、集合体コア４を手動あるいは機械により振動させながら任意の光エレメント２を引き抜くとより引き抜き抵抗を低減することができる。また、このとき、光ケーブル１を最上階の住戸にも分配布設できるように、図７のように余裕をもって幹線布設しておくとよい。
【００３１】
以上に述べた実施形態によれば、複数本の光エレメント２が撚られずに並列されて束ねられた状態の光ケーブル１から各光エレメント２を引き抜くことになり、その際に、まず光ケーブル１を幹線布設し、次に光ケーブル１から任意の光エレメント２を引き抜いて分配布設することになる。このように複数本の光エレメント２が撚られずに束ねられているため、各光エレメント２を引き抜く際に、撚りを解かなくても撚り締まりが生じないため容易に引き抜くことができる。
【００３２】
これにより、戸建ての住宅は勿論のこと、マンション等の既設の集合住宅Ｓへの光ケーブル１の布設の容易化を図ることができ、光ファイバ網の円滑な構築を実現することができる。
【００３３】
また、バインド線３の巻き付けピッチを十分に長く、例えば複数本の光エレメント２を束ねた集合体コア４の直径よりも一桁（１０倍）大きくしておけば拘束力は強くならず、引き抜き力は低く抑えられる。よって、このバインド線３を巻き付けたままでも光エレメント２を容易に引き抜くことができる。
【００３４】
また、被覆層７が、高密度ポリエチレン、ポリプロピレン、フッ素系樹脂の何れかからなり、あるいは滑材入りの合成樹脂からなるため、互いの接触抵抗を低減できる。よって、光エレメント２をさらに容易に引き抜くことができる。特に、高密度の合成樹脂を用いれば、外傷に強いため被覆層７の樹脂量を減らして光エレメント２の断面積を小さくすることができ、これにより、光ケーブル１の実装密度を高めることができる。
【００３５】
さらに、光エレメント２の被覆層７にＲ面取り８が形成されているため、複数束ねられた状態でも光エレメント２同士が面接触せず、接触抵抗を低減できる。よって、光エレメント２をさらに容易に引き抜くことができる。この場合、図９に示すように、被覆層７を断面円形状としても同様の効果が得られる。
【００３６】
また、光ケーブル１を振動させながら任意の光エレメント２を引き抜くと、光エレメント２をさらに容易に引き抜くことができる。
【００３７】
光ケーブル１は、複数本の光エレメント２が撚られずに並設されてバインド線３により束ねられているが、８の字束にして集積させることにより、光エレメント２の位置による長さの差を吸収でき、線長差による光エレメント２のばらけを防止できる。８の字取りをせずに光エレメント２間の摩擦抵抗を減らすため敢えて光エレメント２間の線長差を１％程度つけて、適度に光エレメント２同士がばらけるようにしてもよい。ただし、その場合、光ケーブル１の外径の１００倍以上の径で束取る、もしくは、ドラムに巻く必要があるため梱包は大きくなる。それ故、ＦＴＴＨ等のうち特にビルやマンションなど作業スペースの狭いところではケーブル外径の数倍程度で巻き取っても光エレメント２がばらけにくい８の字取り梱包を行う利点は大きい。
【００３８】
なお、上記実施形態では、光ケーブル１を例えばマンション等の既設の集合住宅Ｓに布設する場合を例示して説明したが、戸建ての各住宅に布設する場合にも適用可能である。
【００３９】
また、以上に述べた実施形態は、以下のような変更が可能である。
図１０は光ケーブルの変形例の斜視図である。図１０に示すように、複数本の光エレメント２に、上記したバインド線３とともに、これよりも長い巻き付けピッチでバインド線３ａを巻き付ける。つまり、複数本の光エレメント２を、巻き付けピッチの異なる複数のバインド線３，３ａによって束ねる。
【００４０】
このように構成すれば、複数のバインド線３，３ａによってしっかりと束ねた状態で幹線布設した後、長ピッチのバインド線３ａは切断せず、短ピッチのバインド線３のみを切断して束ねる力を弱めた後、任意の光エレメント２を引き抜いて分配布設することができる。よって、巻き付けピッチの大きいバインド線３ａで光ケーブル１のばらけを防止することができる。
【００４１】
なお、複数本の光エレメント２を巻き付けピッチの異なる複数のバインド線３，３ａにより束ねるのではなく、巻き付けの強さの異なる複数のバインド線により束ねても良い。この場合は、光ケーブル１を幹線布設後、比較的巻き付け強さの弱いバインド線は切断せずに、巻き付け強さの強いバインド線を切断した後、任意の光エレメント２を引き抜いて分配布設するとよい。
【００４２】
図１１は光ケーブルの変形例の断面図である。図１１に示すように、撚られていない複数本の光エレメント２を、バインド線ではなく、複数本の光エレメント２に対して隙間をもつルースチューブ型の外被１７により覆って束ねても良い。この場合、この外被１７は、少なくとも内側が、高密度ポリエチレン、ポリプロピレン、フッ素系樹脂の何れか、あるいは滑材入りの合成樹脂等からなるのが好ましい。
【００４３】
このように構成すれば、光エレメント２間の線長差は外被１７内で適当に揃うことになるため、スナールフリーとするための８の字束にしての集積等が必須ではなくなり、ドラムに巻回することも許容できる。また、外被１７があるため、少なくとも外観上は複数の光エレメント２の線長差の影響は出ず、光ケーブル１の耐側圧性を向上させることもできる。この場合、幹線布設された光ケーブル１の外被１７を適宜の位置で切断して光エレメント２を引き出して分配布設することになる。
【００４４】
図１２は光ケーブルの変形例の斜視図である。図１２に示すように、撚られていない複数本の光エレメント２の略中央となる位置に、長尺状の抗張力線であるテンションメンバ１９を配設する。つまり、テンションメンバ１９が中央に配置され、その周囲に複数本の光エレメント２が束ねられた光ケーブル１とする。
【００４５】
この場合、このように複数本の光エレメント２の中央にテンションメンバ１９を配置した光ケーブル１を幹線布設し、その後、光ケーブル１からテンションメンバ１９を引き抜いた後、任意の光エレメント２から順番に引き抜いて分配布設することになる。テンションメンバ１９を引き抜くと、空隙率が上がり光エレメント２同士の接触抵抗を低減できることになるため、光エレメント２をさらに容易に引き抜くことができる。特に、テンションメンバ１９を引き抜いた空間が形成された内側の光エレメント２から引き抜くことが容易である。
【００４６】
図１３は光ケーブルの変形例の断面図である。図１３に示すように、撚られていない複数本の光エレメント２の略中央となる位置に、長尺状の抗張力線であるテンションメンバ１９を配設するとともに、テンションメンバ１９と複数本の光エレメント２との間に、空気を充填した空気層２１を形成するチューブ状の空気層形成部材２２を設ける。
【００４７】
この空気層形成部材２２は、内部に空気が充填されており、工具等を用いて破損可能な薄膜樹脂からなっている。この場合、この光ケーブル１を幹線布設し、その後、空気層形成部材２２における光ケーブル１の端部に臨む部分に穴を開けることで、空気層２１の空気を抜く。これにより、空隙率が上がり光エレメント２同士の接触抵抗を低減できることになる。そして、任意の光エレメント２を引き抜いて分配布設することになる。よって、光エレメント２をさらに容易に引き抜くことができる。特に、空気層２１の位置に形成された空間から内側の光エレメント２を引き抜くことが容易である。
なお、空気層形成部材２２の内部空気の放出後に、引き抜きやすくなったテンションメンバ１９を引き抜いてから、光エレメント２を引き抜いても良い。
【００４８】
図１４は光ケーブルをドラムに巻いた状態の断面図であり、図１５は光ケーブルをドラムから解いた状態の正面図である。
図１４に示すように、撚られていない複数本の光エレメント２からなる光ケーブル１をドラム２４の一対の鍔部２５（一方のみ図示）間の胴部２６の外周に巻き付けることで、内周側でドラム２４に巻き付けられる光エレメント２と外周側でドラム２４に巻き付けられる光エレメント２とに意図的に線長差を設けた状態で束ねる。
【００４９】
ドラム２４の胴径をケーブル外径の１００倍以上にして光ケーブル１をドラム２４から繰り出して幹線布設すると、光エレメント２間の線長差は１％以内におさまり、図１５に示すように、線長差で光エレメント２間の空隙率が適度に上がることになる。よって、光エレメント２同士の接触抵抗を低減できることになり、光エレメント２をさらに容易に引き抜くことができる。
【００５０】
図１６は光ケーブルの変形例の断面図である。図１６に示すように、撚られていない複数本の光エレメント２を、その集合体コア４の外径が最小になる最密状態ではなく、相互に適宜の隙間を有する非最密状態でバインド線３により束ねる。このように異形断面の光エレメント２を敢えて整列させずに束ねれば、光エレメント２同士の接触抵抗を低減できることになり、光エレメント２をさらに容易に引き抜くことができる。なお、破線Ｄ１は非最密状態の場合の集合体コア４の外径線を、破線Ｄ２は最密状態の場合の集合体コア４の外径線をそれぞれ示している。
【００５１】
図１７は光ケーブルの変形例の斜視図である。図１７に示すように、撚られていない複数本の光エレメント２の間に、高密度ポリエチレン、ポリプロピレン、フッ素系樹脂の何れかからなる低摩擦の長尺状の介在物２８を複数設ける。このように構成すれば、光エレメント２の接触抵抗を介在物２８で低減できることになり、光エレメント２を介在物２８に接触するものから引き抜くことで、さらに容易に引き抜くことができる。
【００５２】
図１８は光ケーブルの変形例の断面図である。図１８に示すように、複数本の光エレメント２の間に、高密度ポリエチレン、ポリプロピレン、フッ素系樹脂の何れかからなる低摩擦の長尺状の介在物３０を複数設ける際に、これらの介在物３０により、光エレメント２の配置を区分けする。つまり、介在物３０が放射状の仕切部３１を複数有しており、隣り合う仕切部３１同士の間に個々の光エレメント２を配設する。このように構成すれば、区分けされた光エレメント２の接触抵抗を介在物３１で低減でき光エレメント２同士の絡み合いも低減することになり、光エレメント２をさらに容易に引き抜くことができる。
【００５３】
図１９は光ケーブルの変形例の断面図である。図７に示すように、各階に２戸の住居１４があり、これら住戸１４に対して共通のメータボックス１５が設けられている場合、図１９に示すように、二本の光エレメント２同士を連結させてなる光エレメント結合型の光エレメント結合体３２を複数本撚られずに束ねて光ケーブル１とする。
【００５４】
このように構成すれば、幹線布設されたこの光ケーブル１から一本の光エレメント結合体３２を引き抜いて、この一本の光エレメント結合体３２を対応するメータボックス１５まで分配布設し、この光エレメント結合体３２を二本の光エレメント２に分離して、各住戸１４にそれぞれ一本ずつ光エレメント２を布設することができる。
【００５５】
よって、引き抜き作業時間を低減できるとともに、分配布設時に複数の光エレメント２同士が絡まることを防止でき、メータボックス１５までの分配布設が容易となる。なお、布設状況に応じて、光エレメント２を二本に限らず二本以上の単位で並列結合させることが可能である。
【００５６】
図２０は光ケーブルの布設の変形例の正面図である。図２０に示すように、まず、集合住宅Ｓに対して光ケーブル１を折り返し状態で幹線布設し、その後、光ケーブル１から任意の箇所の光エレメント２を切断し、切断した光エレメント２の両方を引き抜いて分配布設する。つまり、切断した光エレメント２の切断した後の上側の切断体２ａを光ケーブル１から引き抜いて上位階に分配布設し、切断した光エレメント２の切断した後の下側の切断体２ｂを光ケーブル１から引き抜いて下位階に分配布設する。
【００５７】
このように布設すれば、光エレメント２を上位階と下位階とでセットで使用することになり、光エレメント２の本数を削減でき、光エレメント２を有効に使用することができる。この場合、光ケーブル１を折り返した状態で、折り返し部分を吊り上げたり、光ケーブル１の端部を滑車で引き上げ、この滑車の位置で折り返して引き下げたりすることで、光ケーブル１を折り返し状態で幹線布設できる。
【実施例】
【００５８】
断面外側寸法が２×３ｍｍの光エレメントに撚りを加えず３２本束ねてバインド線で一束化した実施例と、６００ｍｍのピッチの撚りを加えたものとについて、光エレメントを１５ｍ引き抜くのに必要な引き抜き力を測定した。被覆層は、すべてＬ−ＬＤＰＥとした。結果を［表１］に示す。
【００５９】
【表１】
2009080346.tif 000003
【００６０】
［表１］からわかるように、光エレメントに６００ｍｍのピッチの撚りを加えた場合に、光エレメントの引き抜き力が２０ｋｇを超えるのに対して、撚りを加えない例は、引き抜き力が５ｋｇと大幅に低減できた。
【００６１】
また、上記撚りを加えない光エレメントの被覆層をＨＤＰＥとした例と、ＬＤＰＥとした例、Ｌ−ＬＤＰＥとした例について、光エレメントを１５ｍ引き抜くのに必要な引き抜き力を測定した。結果を［表２］に示す。
【００６２】
【表２】
2009080346.tif 000004
【００６３】
［表２］からわかるように、被覆層をＬＤＰＥとした場合に、光エレメントの引き抜き力が２０ｋｇを超え、また、被覆層をＬ−ＬＤＰＥとした場合に、引き抜き力が５ｋｇであるのに対して、被覆層をＨＤＰＥとした例は、引き抜き力が３００ｇと大幅に低減できた。
【００６４】
また、バインド線の巻き付けピッチは細かいほど光エレメントの一束化の効果は高いが、短ピッチで光エレメントの束を締め付けると、光エレメントの引き抜き力が大きくなり、バインド線の巻き付けピッチが長すぎると光エレメントがばらけやすくなる。このため、巻き付けピッチは、５０ｍｍ〜２０００ｍｍの範囲が良く、望ましくは２００ｍｍ〜６００ｍｍの範囲が良い。
【００６５】
なお、個々の光エレメントが１０ｋｇ程度の張力に耐え、牽引時はそれら光エレメントの線長差があったとしても総許容張力の３割程度は光ケーブルの実効的な許容張力として見込めるため、テンションメンバはなくても良い。また、光ケーブルの耐側圧性を向上させるため外被を施す場合は、複数の光エレメントからなる集合体コアに外被が密着せず、光エレメント２が２０ｋｇ／１５ｍ以下の力で引き抜けるように外被をルース状（管状）に押し出す前述のルースチューブとするのが良い。
【図面の簡単な説明】
【００６６】
【図１】本発明に係る光ケーブルの実施形態の例を示す斜視図である。
【図２】光エレメントの断面図である。
【図３】光エレメントの別例の断面図である。
【図４】光エレメントの別例の断面図である。
【図５】バインド線の巻き付けピッチを説明する斜視図である。
【図６】光ケーブル及び収容箱の斜視図である。
【図７】光ケーブルの布設を示す正面図である。
【図８】光エレメント引き抜き時の加振方向を説明する斜視図である。
【図９】光エレメントの別例の断面図である。
【図１０】光ケーブルの変形例の斜視図である。
【図１１】光ケーブルの変形例の断面図である。
【図１２】光ケーブルの変形例の斜視図である。
【図１３】光ケーブルの変形例の断面図である。
【図１４】光ケーブルをドラムに巻いた状態の断面図である。
【図１５】図１３の光ケーブルをドラムから解いた状態の正面図である。
【図１６】光ケーブルの変形例の断面図である。
【図１７】光ケーブルの変形例の斜視図である。
【図１８】光ケーブルの変形例の断面図である。
【図１９】光ケーブルの変形例の断面図である。
【図２０】光ケーブルの布設の変形例の正面図である。
【符号の説明】
【００６７】
１…光ケーブル
２…光エレメント
３，３ａ…バインド線
４…集合体コア
５…光ファイバ心線
６…テンションメンバ
７…被覆層
８…Ｒ面取り
１１…収容箱
１４…住居
１７…外被
１９…テンションメンバ（抗張力線）
２１…空気層
２４…ドラム
２８，３０…介在物
【図１】
2009080346.tif 000005
【図２】
2009080346.tif 000006
【図３】
2009080346.tif 000007
【図４】
2009080346.tif 000008
【図５】
2009080346.tif 000009
【図６】
2009080346.tif 000010
【図７】
2009080346.tif 000011
【図８】
2009080346.tif 000012
【図９】
2009080346.tif 000013
【図１０】
2009080346.tif 000014
【図１１】
2009080346.tif 000015
【図１２】
2009080346.tif 000016
【図１３】
2009080346.tif 000017
【図１４】
2009080346.tif 000018
【図１５】
2009080346.tif 000019
【図１６】
2009080346.tif 000020
【図１７】
2009080346.tif 000021
【図１８】
2009080346.tif 000022
【図１９】
2009080346.tif 000023
【図２０】
2009080346.tif 000024